(57)【要約】【課題】  ユーザが意図していない第三者にデジタルコンテンツが閲覧される可能性を減少させながら、デジタルコンテンツを閲覧可能なグループを容易に形成する無線通信システム、この無線通信システムで用いられる携帯端末及びグループ化方法を提供する。【解決手段】  携帯端末１０ａ〜携帯端末１０ｎは、デジタルコンテンツを閲覧可能なグループを形成するためのグループ形成信号の到達範囲を制御して、グループ形成信号を互いに送受信する。また、暗号鍵は、携帯端末１０ａ〜携帯端末１０ｎが発生する鍵生成用乱数を用いて生成される。【選択図】  図２
2007096946.tif 000002
【特許請求の範囲】
【請求項１】
無線回線を通じてデジタルコンテンツが送受信され、マスター端末とスレーブ端末とを含む無線通信システムにおいて、前記マスター端末及び前記スレーブ端末をグループ化するグループ化方法であって、
前記マスター端末が、前記デジタルコンテンツを閲覧可能なグループを形成するためのグループ形成信号を前記無線回線を通じて送信するステップと、
前記スレーブ端末が、前記グループ形成信号を前記無線回線を通じて送信するステップと、
前記マスター端末が、前記無線回線を通じて受信する前記グループ形成信号に基づいて前記グループを形成するステップと、
前記マスター端末が、前記デジタルコンテンツの暗号化に用いられる暗号鍵の生成に用いられる鍵生成情報であるマスター側鍵生成情報を、前記グループに含まれる前記スレーブ端末に送信するステップと、
前記スレーブ端末が、前記スレーブ端末によって生成される前記鍵生成情報であるスレーブ側鍵生成情報と前記マスター端末から受信する前記マスター側鍵生成情報とを用いて暫定鍵情報を生成し、生成した前記暫定鍵情報を前記マスター端末に送信するステップと、
前記マスター端末が、前記スレーブ端末から受信する前記暫定鍵情報を用いて、前記暗号鍵を前記スレーブ端末が取得するための鍵情報を生成し、生成した前記鍵情報を前記グループに含まれる前記スレーブ端末に送信するステップとを含むことを特徴とするグループ化方法。
【請求項２】
無線回線を通じてデジタルコンテンツが送受信され、マスター端末とスレーブ端末とを含む無線通信システムであって、
前記マスター端末は、
前記デジタルコンテンツを閲覧可能なグループを形成するためのグループ形成信号を前記無線回線を通じて送信するマスター側グループ形成信号送信部と、
前記無線回線を通じて受信する前記グループ形成信号に基づいて前記グループを形成するグループ化部と、
前記デジタルコンテンツの暗号化に用いられる暗号鍵の生成に用いられる鍵生成情報であるマスター側鍵生成情報を、前記グループに含まれる前記スレーブ端末に送信する鍵生成情報送信部と、
前記スレーブ端末によって生成される前記鍵生成情報であるスレーブ側鍵生成情報と前記マスター側鍵生成情報とを用いて前記スレーブ端末が生成する暫定鍵情報を、前記グループに含まれる前記スレーブ端末から受信する暫定鍵情報受信部と、
前記暫定鍵情報受信部によって受信された前記暫定鍵情報を用いて、前記暗号鍵を前記スレーブ端末が取得するための鍵情報を生成する鍵情報生成部と、
前記鍵情報生成部によって生成された前記鍵情報を、前記グループに含まれる前記スレーブ端末に送信する鍵情報送信部とを備え、
前記スレーブ端末は、
前記グループ形成信号を前記無線回線を通じて送信するスレーブ側グループ形成信号送信部と、
前記暗号鍵の生成に用いられる前記鍵生成情報である前記マスター側鍵生成情報を前記マスター端末から受信する鍵生成情報受信部と、
前記マスター端末から受信する前記マスター側鍵生成情報と前記スレーブ側鍵生成情報とを用いて前記暫定鍵情報を生成する暫定鍵情報生成部と、
前記暫定鍵情報生成部によって生成された前記暫定鍵情報を前記マスター端末に送信する暫定鍵情報送信部とを備えることを特徴とする無線通信システム。
【請求項３】
前記マスター端末は、前記マスター側グループ形成信号送信部が送信する前記グループ形成信号の到達範囲を制御するマスター側信号到達範囲制御部をさらに備え、
前記スレーブ端末は、前記スレーブ側グループ形成信号送信部によって送信される前記グループ形成信号の到達範囲を制御するスレーブ側信号到達範囲制御部をさらに備えることを特徴とする請求項２に記載の無線通信システム。
【請求項４】
前記マスター側信号到達範囲制御部は、前記マスター側グループ形成信号送信部が送信する前記グループ形成信号の送信電力を一定値以下に制御し、
前記スレーブ側信号到達範囲制御部は、前記スレーブ側グループ形成信号送信部によって送信される前記グループ形成信号の送信電力を一定値以下に制御することを特徴とする請求項３に記載の無線通信システム。
【請求項５】
前記マスター側信号到達範囲制御部は、前記グループ形成信号の送信電力に加えて、前記鍵情報送信部によって送信される前記鍵情報の送信電力を一定値以下に制御することを特徴とする請求項４に記載の無線通信システム。
【請求項６】
前記マスター側信号到達範囲制御部は、前記グループ形成信号の送信電力に加えて、前記鍵生成情報送信部によって送信される前記マスター側鍵生成情報の送信電力を一定値以下に制御し、
前記スレーブ側信号到達範囲制御部は、前記グループ形成信号の送信電力に加えて、前記暫定鍵情報送信部によって送信される前記暫定鍵情報の送信電力を一定値以下に制御することを特徴とする請求項４に記載の無線通信システム。
【請求項７】
前記マスター端末は、
再生順序が定められた確認情報を前記マスター端末及び前記スレーブ端末にそれぞれ割り当てる確認情報割当部と、
前記確認情報割当部によって前記マスター端末に割り当てられた前記確認情報を前記再生順序に従って再生するマスター側再生部とを備え、
前記スレーブ端末は、
前記確認情報割当部によって前記スレーブ端末に割り当てられた前記確認情報を前記再生順序に従って再生するスレーブ側再生部を備えることを特徴とする請求項２に記載の無線通信システム。
【請求項８】
無線回線を通じてデジタルコンテンツが送受信される無線通信システムで用いられ、マスターとして機能する携帯端末であって、
前記デジタルコンテンツを閲覧可能なグループを形成するためのグループ形成信号を前記無線回線を通じて送信するグループ形成信号送信部と、
前記無線回線を通じて受信する前記グループ形成信号に基づいて前記グループを形成するグループ化部と、
前記デジタルコンテンツの暗号化に用いられる暗号鍵の生成に用いられる鍵生成情報であるマスター側鍵生成情報を、前記グループに含まれるスレーブ端末に送信する鍵生成情報送信部と、
前記スレーブ端末が生成する鍵生成情報であるスレーブ側鍵生成情報と前記マスター側鍵生成情報とを用いて前記スレーブ端末が生成する暫定鍵情報を、前記グループに含まれる前記スレーブ端末から受信する暫定鍵情報受信部と、
前記暫定鍵情報受信部によって受信された前記暫定鍵情報を用いて、前記暗号鍵を前記スレーブ端末が取得するための鍵情報を生成する鍵情報生成部と、
前記鍵情報生成部によって生成された前記鍵情報を、前記グループに含まれる前記スレーブ端末に送信する鍵情報送信部とを備えることを特徴とする携帯端末。
【請求項９】
前記グループ形成信号送信部によって送信される前記グループ形成信号の到達範囲を制御する信号到達範囲制御部をさらに備えることを特徴とする請求項８に記載の携帯端末。
【請求項１０】
前記信号到達範囲制御部は、前記グループ形成信号送信部によって送信される前記グループ形成信号の送信電力を一定値以下に制御することを特徴とする請求項９に記載の携帯端末。
【請求項１１】
前記信号到達範囲制御部は、前記グループ形成信号の送信電力に加えて、前記鍵情報送信部によって送信される前記鍵情報の送信電力を一定値以下に制御することを特徴とする請求項１０に記載の携帯端末。
【請求項１２】
前記信号到達範囲制御部は、前記グループ形成信号の送信電力に加えて、前記鍵生成情報送信部によって送信される前記マスター側鍵生成情報の送信電力を一定値以下に制御することを特徴とする請求項１０に記載の携帯端末。
【請求項１３】
再生順序が定められた確認情報を前記携帯端末及び前記スレーブ端末にそれぞれ割り当てる確認情報割当部と、
前記確認情報割当部によって前記携帯端末に割り当てられた前記確認情報を前記再生順序に従って再生する確認情報再生部と、
前記確認情報割当部によって前記スレーブ端末に割り当てられた前記確認情報を前記再生順序に従って再生することを、前記グループに含まれる前記スレーブ端末に指示する再生指示部とを備えることを特徴とする請求項８に記載の携帯端末。
【請求項１４】
前記鍵生成情報送信部は、前記スレーブ端末の一つである一のスレーブ端末に前記マスター側鍵生成情報を送信するとともに、前記一のスレーブ端末が生成する前記スレーブ側鍵生成情報である一のスレーブ側鍵生成情報を用いて前記一のスレーブ端末が生成する前記暫定鍵情報である一の暫定鍵情報を前記スレーブ端末の一つである他のスレーブ端末に転送することを指示する指示情報を前記一のスレーブ端末に送信し、
前記暫定鍵情報受信部は、前記グループに含まれる前記スレーブ端末が生成する前記スレーブ側鍵生成情報の全てを用いて生成された最終暫定鍵情報を受信し、
前記鍵情報生成部は、前記暫定鍵情報受信部によって受信された前記最終暫定鍵情報を用いて、前記暗号鍵を前記スレーブ端末が取得するための鍵情報を生成することを特徴とする請求項８に記載の携帯端末。
【請求項１５】
前記鍵生成情報送信部は、前記スレーブ端末の一つである一のスレーブ端末に前記マスター側鍵生成情報を送信するとともに、前記スレーブ端末の一つである他のスレーブ端末に前記マスター側鍵生成情報を送信し、
前記暫定鍵情報受信部は、前記一のスレーブ端末が生成する前記鍵生成情報である一のスレーブ側鍵生成情報を用いて前記一のスレーブ端末が生成する前記暫定鍵情報である一の暫定鍵情報を前記一のスレーブ端末から受信するとともに、前記他のスレーブ端末が生成する前記鍵生成情報である他のスレーブ側鍵生成情報を用いて前記他のスレーブ端末が生成する前記暫定鍵情報である他の暫定鍵情報を前記他のスレーブ端末から受信し、
前記鍵情報生成部は、前記一のスレーブ端末が前記暗号鍵を取得するための前記鍵情報である一の鍵情報を前記一の暫定鍵情報を用いて生成するとともに、前記他のスレーブ端末が前記暗号鍵を取得するための前記鍵情報である他の鍵情報を前記他の暫定鍵情報を用いて生成することを特徴とする請求項８に記載の携帯端末。
【請求項１６】
前記グループ形成信号送信部は、ユーザが所定の操作を行うと、前記グループ形成信号を前記無線回線を通じて送信し、
前記グループ化部は、ユーザが前記所定の操作を行うと、前記無線回線を通じて受信する前記グループ形成信号に基づいて前記グループを形成することを特徴とする請求項８に記載の携帯端末。
【請求項１７】
前記グループ化部は、前記無線回線を通じて受信する前記グループ形成信号に基づいて、前記スレーブ端末に順序が割り当てられた順序テーブルを生成し、
前記確認情報割当部は、前記順序テーブルで対応付けられた前記順序に応じて、前記スレーブ端末に前記確認情報を割り当てることを特徴とする請求項１３に記載の携帯端末。
【請求項１８】
前記グループ化部は、前記無線回線を通じて受信する前記グループ形成信号に基づいて、前記スレーブ端末に順序が割り当てられた順序テーブルを生成し、
前記鍵生成情報送信部は、前記一の暫定鍵情報の送信先となる前記他のスレーブ端末を指示するために、前記順序テーブルを前記指示情報として前記一のスレーブ端末に送信することを特徴とする請求項１４に記載の携帯端末。
【請求項１９】
無線回線を通じてデジタルコンテンツが送受信される無線通信システムで用いられ、スレーブとして機能する携帯端末であって、
前記デジタルコンテンツを閲覧可能なグループを形成するためのグループ形成信号を前記無線回線を通じて送信するグループ形成信号送信部と、
前記デジタルコンテンツの暗号化に用いられる暗号鍵の生成に用いられる鍵生成情報であるマスター側鍵生成情報をマスター端末から受信する鍵生成情報受信部と、
前記鍵生成情報であるスレーブ側鍵生成情報を生成する鍵生成情報生成部と、
前記鍵生成情報受信部によって受信された前記マスター側鍵生成情報と、前記鍵生成情報生成部によって生成された前記スレーブ側鍵生成情報とを用いて、暫定鍵情報を生成する暫定鍵情報生成部と、
前記暫定鍵情報生成部によって生成された前記暫定鍵情報を前記マスター端末に送信する暫定鍵情報送信部とを備えることを特徴とする携帯端末。
【請求項２０】
前記グループ形成信号送信部によって送信される前記グループ形成信号の到達範囲を制御する信号到達範囲制御部をさらに備えることを特徴とする請求項１９に記載の携帯端末。
【請求項２１】
前記信号到達範囲制御部は、前記グループ形成信号送信部によって送信される前記グループ形成信号の送信電力を一定値以下に制御することを特徴とする請求項２０に記載の携帯端末。
【請求項２２】
前記信号到達範囲制御部は、前記グループ形成信号の送信電力に加えて、前記暫定鍵情報送信部によって送信される前記暫定鍵情報の送信電力を一定値以下に制御することを特徴とする請求項２１に記載の携帯端末。
【請求項２３】
前記マスター端末によって前記携帯端末に割り当てられた確認情報を、前記確認情報に予め定められた再生順序に従って再生する確認情報再生部を備えることを特徴とする請求項１９に記載の携帯端末。
【発明の詳細な説明】
【技術分野】
【０００１】
本発明は、動画、静止画やテレビ番組などのデジタルコンテンツが無線回線を通じて送受信される無線通信システム、この無線通信システムで用いられる携帯端末及びグループ化方法に関する。
【背景技術】
【０００２】
近年、携帯電話やＰＤＡなどの携帯端末として、動画や静止画を撮像する機能やテレビ番組を録画する機能などを有する携帯端末が増加している。これに伴って、ユーザが携帯端末に記憶されたデジタルコンテンツ（撮像された動画や静止画、録画されたテレビ番組など）を仲間内（グループ内）で交換したいというニーズが高まっている。
【０００３】
このニーズを満たす方法として、ＢＬＵＥＴＯＯＴＨ（登録商標）、ＩｒＤＡやＩＥＥＥ８０２．１１などに規定された無線技術を用いた方法が知られている。この方法によれば、携帯端末間をケーブルで接続する必要がないため、デジタルコンテンツをユーザが容易に交換することができる。
【０００４】
一方で、携帯端末間を無線回線で接続すると、グループ外の第３者にデジタルコンテンツが閲覧される可能性が生じる。従って、一般に、無線技術を用いた方法では、グループＩＤ、端末ＩＤやパスワード（以下、ＩＤ等）をユーザが入力することによって、グループ外の第３者にデジタルコンテンツが閲覧される可能性を減少させている。例えば、ＢＬＵＥＴＯＯＴＨで規定された無線技術では、４〜８桁のＰＩＮコードを各ユーザが入力することによって、グループ外の第３者にデジタルコンテンツが閲覧される可能性を減少させている。
【０００５】
また、グループ外の第３者にデジタルコンテンツが閲覧される可能性を減少させる方法として、予め定められた鍵でデジタルコンテンツを暗号化する方法も知られている。例えば、この方法としては、各携帯端末に共通する共通鍵を用いてデジタルコンテンツを暗号化する方法（共通鍵暗号化方法）や一対の鍵（秘密鍵及び公開鍵）を用いてデジタルコンテンツを暗号化する方法（公開鍵暗号化方法）が挙げられる（例えば、特許文献１）。
【特許文献１】特開２０００−１２４８９８号公報（請求項１、〔００５７〕〜〔００５９〕、図１０など）
【発明の開示】
【発明が解決しようとする課題】
【０００６】
しかしながら、ＩＤ等をユーザが入力する方法では、ＩＤ等をユーザが携帯端末に入力する作業が生じてしまう。また、予め定められた鍵でデジタルコンテンツを暗号化する方法では、予め定められた鍵を各携帯端末が記憶している必要が生じてしまい、予め定められた鍵の管理が煩雑であった。
【０００７】
そこで、本発明は、上述した課題を解決するためになされたものであり、ユーザが意図していない第三者にデジタルコンテンツが閲覧される可能性を減少させながら、デジタルコンテンツを閲覧可能なグループを容易に形成する無線通信システム、この無線通信システムで用いられる携帯端末及びグループ化方法を提供することを目的とする。
【課題を解決するための手段】
【０００８】
本発明の第１の特徴は、無線回線を通じてデジタルコンテンツが送受信され、マスター端末とスレーブ端末とを含む無線通信システムにおいて、前記マスター端末及び前記スレーブ端末をグループ化するグループ化方法が以下のステップを含むことを要旨とする。
【０００９】
具体的には、前記マスター端末が、前記デジタルコンテンツを閲覧可能なグループを形成するためのグループ形成信号を前記無線回線を通じて送信するステップと、前記スレーブ端末が、前記グループ形成信号を前記無線回線を通じて送信するステップと、前記マスター端末が、前記無線回線を通じて受信する前記グループ形成信号に基づいて前記グループを形成するステップと、前記マスター端末が、前記デジタルコンテンツの暗号化に用いられる暗号鍵の生成に用いられる鍵生成情報であるマスター側鍵生成情報を、前記グループに含まれる前記スレーブ端末に送信するステップと、前記スレーブ端末が、前記スレーブ端末によって生成される前記鍵生成情報であるスレーブ側鍵生成情報と前記マスター端末から受信する前記マスター側鍵生成情報とを用いて暫定鍵情報を生成し、生成した前記暫定鍵情報を前記マスター端末に送信するステップと、前記マスター端末が、前記スレーブ端末から受信する前記暫定鍵情報を用いて、前記暗号鍵を前記スレーブ端末が取得するための鍵情報を生成し、生成した前記鍵情報を前記グループに含まれる前記スレーブ端末に送信するステップとをグループ化方法が含むことを要旨とする。
【００１０】
かかる特徴によれば、暫定鍵情報がマスター側鍵生成情報及びスレーブ側鍵生成情報を用いて生成され、スレーブ端末が暗号鍵を取得するための鍵情報が暫定鍵情報を用いて生成されることにより、ユーザが意図していない第三者が鍵情報や暗号鍵を推測することが困難になる。
【００１１】
また、デジタルコンテンツを閲覧可能なグループを形成する際に、マスター端末が生成するマスター側鍵生成情報及びスレーブ端末が生成するスレーブ側鍵生成情報を用いて暗号鍵が生成されることにより、マスター端末及びスレーブ端末が暗号鍵を予め管理している必要がなく、暗号鍵の管理が煩雑になることを防止することができる。
【００１２】
本発明の第２の特徴は、無線回線を通じてデジタルコンテンツが送受信され、マスター端末とスレーブ端末とを含む無線通信システムにおいて、前記マスター端末が、前記デジタルコンテンツを閲覧可能なグループを形成するためのグループ形成信号を前記無線回線を通じて送信するマスター側グループ形成信号送信部（無線通信部１１）と、前記無線回線を通じて受信する前記グループ形成信号に基づいて前記グループを形成するグループ化部（グループ化部１３）と、前記デジタルコンテンツの暗号化に用いられる暗号鍵の生成に用いられる鍵生成情報であるマスター側鍵生成情報（鍵生成用乱数（Ｒa））を、前記グループに含まれる前記スレーブ端末に送信する鍵生成情報送信部（無線通信部１１）と、前記スレーブ端末によって生成される前記鍵生成情報であるスレーブ側鍵生成情報（鍵生成用乱数（Ｒb））と前記マスター側鍵生成情報とを用いて前記スレーブ端末が生成する暫定鍵情報（暫定鍵情報（ＴＫab）又は暫定鍵情報（ＴＫa〜n））を、前記グループに含まれる前記スレーブ端末から受信する暫定鍵情報受信部（無線通信部１１）と、前記暫定鍵情報受信部によって受信された前記暫定鍵情報を用いて、前記暗号鍵を前記スレーブ端末が取得するための鍵情報を生成する鍵情報生成部（制御部１９）と、前記鍵情報生成部によって生成された前記鍵情報を、前記グループに含まれる前記スレーブ端末に送信する鍵情報送信部（無線通信部１１）とを備え、前記スレーブ端末が、前記グループ形成信号を前記無線回線を通じて送信するスレーブ側グループ形成信号送信部（無線通信部２１）と、前記暗号鍵の生成に用いられる前記鍵生成情報である前記マスター側鍵生成情報を前記マスター端末から受信する鍵生成情報受信部（無線通信部２１）と、前記マスター端末から受信する前記マスター側鍵生成情報（鍵生成用乱数（Ｒa））と前記スレーブ側鍵生成情報（鍵生成用乱数（Ｒb））とを用いて前記暫定鍵情報（暫定鍵情報（ＴＫab））を生成する暫定鍵情報生成部（制御部２７）と、前記暫定鍵情報生成部によって生成された前記暫定鍵情報を前記マスター端末に送信する暫定鍵情報送信部（無線通信部２１）とを備えることを要旨とする。
【００１３】
本発明の第３の特徴は、本発明の第２の特徴において、前記マスター側グループ形成信号送信部が送信する前記グループ形成信号の到達範囲を制御するマスター側信号到達範囲制御部（電力制御部１２）を前記マスター端末がさらに備え、前記スレーブ側グループ形成信号送信部によって送信される前記グループ形成信号の到達範囲を制御するスレーブ側信号到達範囲制御部（電力制御部２２）を前記スレーブ端末がさらに備えることを要旨とする。
【００１４】
本発明の第４の特徴は、本発明の第３の特徴において、前記マスター側信号到達範囲制御部が、前記マスター側グループ形成信号送信部が送信する前記グループ形成信号の送信電力を一定値以下に制御し、前記スレーブ側信号到達範囲制御部が、前記スレーブ側グループ形成信号送信部によって送信される前記グループ形成信号の送信電力を一定値以下に制御することを要旨とする。
【００１５】
本発明の第５の特徴は、本発明の第４の特徴において、前記マスター側信号到達範囲制御部が、前記グループ形成信号の送信電力に加えて、前記鍵情報送信部によって送信される前記鍵情報の送信電力を一定値以下に制御することを要旨とする。
【００１６】
本発明の第６の特徴は、本発明の第４の特徴において、前記マスター側信号到達範囲制御部が、前記グループ形成信号の送信電力に加えて、前記鍵生成情報送信部によって送信される前記マスター側鍵生成情報の送信電力を一定値以下に制御し、前記スレーブ側信号到達範囲制御部が、前記グループ形成信号の送信電力に加えて、前記暫定鍵情報送信部によって送信される前記暫定鍵情報の送信電力を一定値以下に制御することを要旨とする。
【００１７】
本発明の第７の特徴は、本発明の第２の特徴において、前記マスター端末が、再生順序が定められた確認情報を前記マスター端末及び前記スレーブ端末にそれぞれ割り当てる確認情報割当部（制御部１９）と、前記確認情報割当部によって前記マスター端末に割り当てられた前記確認情報を前記再生順序に従って再生するマスター側再生部（音楽情報再生部１８）とを備え、前記スレーブ端末が、前記確認情報割当部によって前記スレーブ端末に割り当てられた前記確認情報を前記再生順序に従って再生するスレーブ側再生部（音楽情報再生部２６）を備えることを要旨とする。
【００１８】
本発明の第８の特徴は、無線回線を通じてデジタルコンテンツが送受信される無線通信システムで用いられ、マスターとして機能する携帯端末が、前記デジタルコンテンツを閲覧可能なグループを形成するためのグループ形成信号を前記無線回線を通じて送信するグループ形成信号送信部（無線通信部１１）と、前記無線回線を通じて受信する前記グループ形成信号に基づいて前記グループを形成するグループ化部（グループ化部１３）と、前記デジタルコンテンツの暗号化に用いられる暗号鍵の生成に用いられる鍵生成情報であるマスター側鍵生成情報（鍵生成用乱数（Ｒa））を、前記グループに含まれるスレーブ端末に送信する鍵生成情報送信部（無線通信部１１）と、前記スレーブ端末が生成する鍵生成情報であるスレーブ側鍵生成情報（鍵生成用乱数（Ｒb））と前記マスター側鍵生成情報とを用いて前記スレーブ端末が生成する暫定鍵情報（暫定鍵情報（ＴＫab）又は暫定鍵情報（ＴＫa〜n））を、前記グループに含まれる前記スレーブ端末から受信する暫定鍵情報受信部（無線通信部１１）と、前記暫定鍵情報受信部によって受信された前記暫定鍵情報を用いて、前記暗号鍵を前記スレーブ端末が取得するための鍵情報を生成する鍵情報生成部（制御部１９）と、前記鍵情報生成部によって生成された前記鍵情報を、前記グループに含まれる前記スレーブ端末に送信する鍵情報送信部（無線通信部１１）とを備えることを要旨とする。
【００１９】
本発明の第９の特徴は、本発明の第８の特徴において、前記グループ形成信号送信部によって送信される前記グループ形成信号の到達範囲を制御する信号到達範囲制御部（電力制御部１２）を携帯端末が備えることを要旨とする。
【００２０】
本発明の第１０の特徴は、本発明の第９の特徴において、前記信号到達範囲制御部が、前記グループ形成信号送信部によって送信される前記グループ形成信号の送信電力を一定値以下に制御することを要旨とする。
【００２１】
本発明の第１１の特徴は、本発明の第１０の特徴において、前記信号到達範囲制御部が、前記グループ形成信号の送信電力に加えて、前記鍵情報送信部によって送信される前記鍵情報の送信電力を一定値以下に制御することを要旨とする。
【００２２】
本発明の第１２の特徴は、本発明の第１０の特徴において、前記信号到達範囲制御部が、前記グループ形成信号の送信電力に加えて、前記鍵生成情報送信部によって送信される前記マスター側鍵生成情報の送信電力を一定値以下に制御することを要旨とする。
【００２３】
本発明の第１３の特徴は、本発明の第８の特徴において、再生順序が定められた確認情報を前記携帯端末及び前記スレーブ端末にそれぞれ割り当てる確認情報割当部（制御部１９）と、前記確認情報割当部によって前記携帯端末に割り当てられた前記確認情報を前記再生順序に従って再生する確認情報再生部（音楽情報再生部１８）と、前記確認情報割当部によって前記スレーブ端末に割り当てられた前記確認情報を前記再生順序に従って再生することを前記スレーブ端末に指示する再生指示部（無線通信部１１）とを備えることを要旨とする。
【００２４】
本発明の第１４の特徴は、本発明の第８の特徴において、前記鍵生成情報送信部が、前記スレーブ端末の一つである一のスレーブ端末に前記マスター側鍵生成情報を送信するとともに、前記一のスレーブ端末が生成する前記スレーブ側鍵生成情報である一のスレーブ側鍵生成情報を用いて前記一のスレーブ端末が生成する前記暫定鍵情報である一の暫定鍵情報を前記スレーブ端末の一つである他のスレーブ端末に転送することを指示する指示情報を前記一のスレーブ端末に送信し、前記暫定鍵情報受信部が、前記グループに含まれる前記スレーブ端末が生成する前記スレーブ側鍵生成情報の全てを用いて生成された最終暫定鍵情報（暫定鍵情報（ＴＫa〜n））を受信し、前記鍵情報生成部が、前記暫定鍵情報受信部によって受信された前記最終暫定鍵情報を用いて、前記暗号鍵を前記スレーブ端末が取得するための鍵情報を生成することを要旨とする。
【００２５】
本発明の第１５の特徴は、本発明の第８の特徴において、前記鍵生成情報送信部が、前記スレーブ端末の一つである一のスレーブ端末（携帯端末１０ｂ）に前記マスター側鍵生成情報を送信するとともに、前記スレーブ端末の一つである他のスレーブ端末（携帯端末１０ｎ）に前記マスター側鍵生成情報を送信し、前記暫定鍵情報受信部が、前記一のスレーブ端末が生成する前記スレーブ側鍵生成情報である一のスレーブ側鍵生成情報（鍵生成用乱数（Ｒb））を用いて前記一のスレーブ端末が生成する前記暫定鍵情報である一の暫定鍵情報（暫定鍵情報（ＴＫab））を前記一のスレーブ端末から受信するとともに、前記他のスレーブ端末が生成する前記スレーブ側鍵生成情報である他のスレーブ側鍵生成情報（鍵生成用乱数（Ｒn））を用いて前記他のスレーブ端末が生成する前記暫定鍵情報である他の暫定鍵情報（暫定鍵情報（ＴＫan））を前記他のスレーブ端末から受信し、前記鍵情報生成部が、前記一のスレーブ端末が前記暗号鍵を取得するための前記鍵情報である一の鍵情報を前記一の暫定鍵情報を用いて生成するとともに、前記他のスレーブ端末が前記暗号鍵を取得するための前記鍵情報である他の鍵情報を前記他の暫定鍵情報を用いて生成することを要旨とする。
【００２６】
本発明の第１６の特徴は、本発明の第８の特徴において、前記グループ形成信号送信部が、ユーザが所定の操作を行うと、前記グループ形成信号を前記無線回線を通じて送信し、前記グループ化部が、ユーザが前記所定の操作を行うと、前記無線回線を通じて受信する前記グループ形成信号に基づいて前記グループを形成することを要旨とする。
【００２７】
本発明の第１７の特徴は、本発明の第１３の特徴において、前記グループ化部が、前記無線回線を通じて受信する前記グループ形成信号に基づいて、前記スレーブ端末に順序が割り当てられた順序テーブルを生成し、前記確認情報割当部が、前記順序テーブルで対応付けられた前記順序に応じて、前記スレーブ端末に前記確認情報を割り当てることを要旨とする。
【００２８】
本発明の第１８の特徴は、本発明の第１４の特徴において、前記グループ化部が、前記無線回線を通じて受信する前記グループ形成信号に基づいて、前記スレーブ端末に順序が割り当てられた順序テーブルを生成し、前記鍵生成情報送信部が、前記一の暫定鍵情報の送信先となる前記他のスレーブ端末を指示するために、前記順序テーブルを前記指示情報として前記一のスレーブ端末に送信することを要旨とする。
【００２９】
本発明の第１９の特徴は、無線回線を通じてデジタルコンテンツが送受信される無線通信システムで用いられ、スレーブとして機能する携帯端末が、前記デジタルコンテンツを閲覧可能なグループを形成するためのグループ形成信号を前記無線回線を通じて送信するグループ形成信号送信部（無線通信部２１）と、前記デジタルコンテンツの暗号化に用いられる暗号鍵の生成に用いられる鍵生成情報であるマスター側鍵生成情報（鍵生成用乱数（Ｒa））をマスター端末から受信する鍵生成情報受信部（無線通信部２１）と、前記鍵生成情報であるスレーブ側鍵生成情報（鍵生成用乱数（Ｒb））を生成する鍵生成情報生成部（乱数発生部２３）と、前記鍵生成情報受信部によって受信された前記マスター側鍵生成情報と、前記鍵生成情報生成部によって生成された前記スレーブ側鍵生成情報とを用いて、暫定鍵情報（暫定鍵情報（ＴＫab））を生成する暫定鍵情報生成部（制御部２７）と、前記暫定鍵情報生成部によって生成された前記暫定鍵情報を前記マスター端末に送信する暫定鍵情報送信部（無線通信部２１）とを備えることを要旨とする。
【００３０】
本発明の第２０の特徴は、本発明の第１９の特徴において、前記グループ形成信号送信部によって送信される前記グループ形成信号の到達範囲を制御する信号到達範囲制御部（電力制御部２２）を携帯端末がさらに備えることを要旨とする。
【００３１】
本発明の第２１の特徴は、本発明の第２０の特徴において、前記信号到達範囲制御部が、前記グループ形成信号送信部によって送信される前記グループ形成信号の送信電力を一定値以下に制御することを要旨とする。
【００３２】
本発明の第２２の特徴は、本発明の第２１の特徴において、前記信号到達範囲制御部が、前記グループ形成信号の送信電力に加えて、前記暫定鍵情報送信部によって送信される前記暫定鍵情報の送信電力を一定値以下に制御することを要旨とする。
【００３３】
本発明の第２３の特徴は、本発明の第１９の特徴において、前記マスター端末によって前記携帯端末に割り当てられた確認情報を、前記確認情報に予め定められた再生順序に従って再生する確認情報再生部（音楽情報再生部２６）を携帯端末が備えることを要旨とする。
【発明の効果】
【００３４】
本発明によれば、ユーザが意図していない第三者にデジタルコンテンツが閲覧される可能性を減少させながら、デジタルコンテンツを閲覧可能なグループを容易に形成する無線通信システム、この無線通信システムで用いられる携帯端末及びグループ化方法を提供することができる。
【発明を実施するための最良の形態】
【００３５】
[第１実施形態]
（無線通信システムの構成）
以下において、本発明の第１実施形態に係る無線通信システムの構成について、図面を参照しながら説明する。図１は、本発明の第１実施形態に係る無線通信システムを示す全体図である。
【００３６】
図１に示すように、無線通信システムは、複数の携帯端末（携帯端末１０ａ〜携帯端末１０ｎ、携帯端末１０ｘ、携帯端末１０ｙ）によって構成される。
【００３７】
各携帯端末は、無線回線を通じて他の携帯端末に信号を送信する機能を有している。なお、無線回線を通じて信号を送信する無線技術としては、ＢＬＵＥＴＯＯＴＨ（登録商標）、ＩｒＤＡやＩＥＥＥ８０２．１１などに規定された無線技術が挙げられる。
【００３８】
例えば、携帯端末１０ａは、電波到達エリアａ内に位置する他の携帯端末１０に信号を送信することが可能である。同様に、携帯端末１０ｂは、電波到達エリアｂ内に位置する他の携帯端末１０に信号を送信することが可能であり、携帯端末１０ｎは、電波到達エリアｎ内に位置する他の携帯端末１０に信号を送信することが可能である。
【００３９】
また、各携帯端末１０は、信号の送信電力を制御することによって、電波到達エリアのサイズを制御する。
【００４０】
さらに、携帯端末１０は、動画や静止画を撮像する機能やテレビ番組を録画する機能などを有しており、デジタルコンテンツ（撮像された動画や静止画、録画されたテレビ番組など）を記憶可能である。例えば、携帯端末１０は、携帯電話、デジタルカメラ、ＰＤＡなどである。
【００４１】
ここで、第１実施形態では、ユーザは、デジタルコンテンツを閲覧可能なグループ内に携帯端末１０ａ〜携帯端末１０ｎを含めることを意図しており、デジタルコンテンツを閲覧可能なグループ内に携帯端末１０ｘ及び携帯端末１０ｙを含めることを意図していないものとして説明する。なお、図１では図示していないが、電波到達エリアａ、電波到達エリアｂ及び電波到達エリアｎが重複する重複エリアには、ｎ個の携帯端末１０が存在しているものとする。
【００４２】
また、第１実施形態では、携帯端末１０ａがマスターとして機能し、携帯端末１０ｂ〜携帯端末１０ｎがスレーブとして機能するものとして説明する。
【００４３】
（携帯端末の構成）
以下において、本発明の第１実施形態に係る携帯端末の構成について、図面を参照しながら説明する。図２は、本発明の第１実施形態に係る携帯端末１０の構成を示すブロック図である。
【００４４】
最初に、無線通信システムでマスターとして機能するマスター端末の構成について説明する。図２（ａ）は、本発明の第１実施形態に係るマスター端末、すなわち、携帯端末１０ａの構成を示すブロック図である。
【００４５】
図２（ａ）に示すように、携帯端末１０ａは、無線通信部１１と、電力制御部１２と、グループ化部１３と、乱数発生部１４と、順序テーブル記憶部１５と、鍵情報記憶部１６と、音楽情報記憶部１７と、音楽情報再生部１８と、制御部１９とを有する。
【００４６】
無線通信部１１は、携帯端末１０ａと他の携帯端末との間で通信を行う。具体的には、無線通信部１１は、無線回線を通じて各種信号を他の携帯端末に送信し、無線回線を通じて各種信号を他の携帯端末から受信する。
【００４７】
例えば、無線通信部１１は、デジタルコンテンツを閲覧可能なグループを形成するためのグループ形成信号、後述する乱数発生部１４が発生する鍵生成用乱数（Ｒa）、デジタルコンテンツの暗号化に用いられる暗号鍵を他の携帯端末が取得するための鍵情報などを送信する。
【００４８】
なお、グループ形成信号には、携帯端末１０ａに設けられたボタンをユーザが押下した時刻（ボタン押下時刻）、携帯端末１０ａの端末ＩＤ（例えば、ＩＰアドレスやＭＡＣアドレス）、携帯端末１０ａのユーザ名などが含まれている。鍵情報は、暗号鍵そのものであってもよい。
【００４９】
また、無線通信部１１は、携帯端末１０ａに設けられたボタンを押下している間、所定の周期でグループ形成信号を継続して送信する。なお、無線通信部１１は、ボタンが押下されてから所定時間が経過するまでの間、所定の周期でグループ形成信号を継続して送信してもよい。
【００５０】
さらに、無線通信部１１は、デジタルコンテンツを閲覧可能なグループを形成するためのグループ形成信号、乱数発生部１４が発生する鍵生成用乱数（Ｒa）を用いて他の携帯端末によって生成される暫定鍵情報を他の携帯端末から受信する。
【００５１】
なお、グループ形成信号には、他の携帯端末に設けられたボタンをユーザが押下した時刻（ボタン押下時刻）、他の携帯端末の端末ＩＤ（例えば、ＩＰアドレスやＭＡＣアドレス）、他の携帯端末のユーザ名などが含まれている。
【００５２】
また、無線通信部１１は、携帯端末１０ａに設けられたボタンを押下している間のみ、グループ形成信号を受け付ける。なお、無線通信部１１は、ボタンが押下されてから所定時間が経過するまでの間、グループ形成信号を受け付けてもよい。
【００５３】
電力制御部１２は、無線通信部１１によって送信される信号の送信電力を制御する。具体的には、電力制御部１２は、グループ形成信号、鍵生成用乱数（Ｒa）や鍵情報の送信電力を制御することによって、電波到達エリアａのサイズを制御する。これによって、ユーザが意図していない第三者がグループ内に含まれる可能性が軽減される。
【００５４】
グループ化部１３は、無線回線を通じて受信するグループ形成信号に基づいて、デジタルコンテンツを閲覧可能なグループを形成する。具体的には、グループ化部１３は、グループ形成信号に含まれるボタン押下時刻に応じて、マスターとして機能するか、スレーブとして機能するかを決定する。また、グループ化部１３は、無線通信部１１によって受信されたグループ形成信号を送信した携帯端末によって構成されるグループを形成する。さらに、グループ化部１３は、グループ形成信号に含まれるボタン押下時刻に応じて、グループ内に含まれる各携帯端末に順序を割り当てるとともに、各携帯端末に順序が対応付けられた順序テーブルを生成する。
【００５５】
乱数発生部１４は、暗号鍵の生成に用いられる鍵生成用乱数（Ｒa）を発生する。
【００５６】
順序テーブル記憶部１５は、グループ化部１３によって生成された順序テーブルを記憶する。なお、順序テーブルの詳細については後述する（図３を参照）。
【００５７】
鍵情報記憶部１６は、暗号鍵を生成するために必要な各種情報を記憶する。具体的には、鍵情報記憶部１６は、乱数発生部１４が発生する鍵生成用乱数（Ｒa）、グループ内に含まれる携帯端末１０が発生する鍵生成用乱数の全てを用いて生成される暫定鍵情報（ＴＫa〜n）、暗号鍵などを記憶する。
【００５８】
音楽情報記憶部１７は、再生順序が定められた音楽情報を記憶する。なお、音楽情報は、ユーザが意図していない第三者が暗号鍵を取得することなく、グループ内で暗号鍵が共有されたか否かを確認する際に用いられる。
【００５９】
音楽情報再生部１８は、後述する制御部１９によって割り当てられた分割音楽情報を再生する。なお、分割音楽情報とは、グループ内に含まれる携帯端末１０の数に応じて分割された音楽情報である。
【００６０】
制御部１９は、携帯端末１０ａを構成する各部を制御する。例えば、制御部１９は、グループ内に含まれる携帯端末１０の数に応じて、音楽情報記憶部１７に記憶された音楽情報を分割して、分割音楽情報を生成する。また、制御部１９は、順序テーブルで各携帯端末に対応付けられた順序及び分割音楽情報の再生順序に応じて、各携帯端末に分割音楽情報を割り当てる。
【００６１】
次に、無線通信システムでスレーブとして機能するスレーブ端末の構成について説明する。図２（ｂ）は、本発明の第１実施形態に係るスレーブ端末、すなわち、携帯端末１０ｂ〜携帯端末１０ｎの構成を示すブロック図である。なお、携帯端末１０ｂ〜携帯端末１０ｎの構成は同様であるため、図２（ｂ）では、携帯端末１０ｂを例に挙げて説明する。
【００６２】
図２（ｂ）に示すように、携帯端末１０ｂは、無線通信部２１と、電力制御部２２と、乱数発生部２３と、順序テーブル記憶部２４と、鍵情報記憶部２５と、音楽情報再生部２６と、制御部２７とを有する。
【００６３】
無線通信部２１は、携帯端末１０ｂと他の携帯端末との間で通信を行う。具体的には、無線通信部２１は、無線回線を通じて各種信号を他の携帯端末に送信し、無線回線を通じて各種信号を他の携帯端末から受信する。
【００６４】
例えば、無線通信部２１は、デジタルコンテンツを閲覧可能なグループを形成するためのグループ形成信号、後述する乱数発生部２３が発生する鍵生成用乱数（Ｒb）を用いて生成される暫定鍵情報（ＴＫab）、他の携帯端末が暗号鍵を取得するための鍵情報などを送信する。
【００６５】
なお、グループ形成信号には、携帯端末１０ｂに設けられたボタンをユーザが押下した時刻（ボタン押下時刻）、携帯端末１０ｂの端末ＩＤ（例えば、ＩＰアドレスやＭＡＣアドレス）、携帯端末１０ｂのユーザ名などが含まれている。
【００６６】
また、無線通信部２１は、携帯端末１０ｂに設けられたボタンを押下している間、所定の周期でグループ形成信号を継続して送信される。なお、無線通信部２１は、ボタンが押下されてから所定時間が経過するまでの間、所定の周期でグループ形成信号を継続して送信してもよい。
【００６７】
さらに、無線通信部２１は、デジタルコンテンツを閲覧可能なグループを形成するためのグループ形成信号、暗号鍵を取得する際に用いる鍵情報などを他の携帯端末から受信する。
【００６８】
なお、グループ形成信号には、他の携帯端末に設けられたボタンをユーザが押下した時刻（ボタン押下時刻）、他の携帯端末の端末ＩＤ（例えば、ＩＰアドレスやＭＡＣアドレス）、他の携帯端末のユーザ名などが含まれている。
【００６９】
また、無線通信部２１は、携帯端末１０ａに設けられたボタンを押下している間のみ、グループ形成信号を受け付ける。なお、無線通信部２１は、ボタンが押下されてから所定時間が経過するまでの間、グループ形成信号を受け付けてもよい。
【００７０】
電力制御部２２は、無線通信部２１によって送信される信号の送信電力を制御する。具体的には、電力制御部２２は、グループ形成信号、暫定鍵情報（ＴＫab）や鍵情報の送信電力を制御することによって、電波到達エリアｂのサイズを制御する。これによって、ユーザが意図していない第三者がグループ内に含まれる可能性が軽減される。
【００７１】
乱数発生部２３は、暗号鍵の生成に用いられる鍵生成用乱数（Ｒb）を発生する。
【００７２】
順序テーブル記憶部２４は、携帯端末１０ａから受信した順序テーブルを記憶する。
【００７３】
鍵情報記憶部２５は、暗号鍵を生成するために必要な各種情報を記憶する。具体的には、鍵情報記憶部２５は、乱数発生部２３が発生する鍵生成用乱数（Ｒb）、後述する制御部２７によって鍵生成用乱数（Ｒb）を用いて生成される暫定鍵情報（ＴＫab）、鍵情報を記憶する。
【００７４】
音楽情報再生部２６は、携帯端末１０ａによって割り当てられた分割音楽情報を再生する。
【００７５】
制御部２７は、携帯端末１０ｂを構成する各部を制御する。例えば、制御部２７は、携帯端末１０ａから受信する鍵生成用乱数（Ｒa）及び乱数発生部２３が発生する鍵生成用乱数（Ｒb）をＸＯＲ演算することによって暫定鍵情報（ＴＫab）を生成する。
【００７６】
なお、第１実施形態では、携帯端末１０ａがマスターとして機能し、携帯端末１０ｂがスレーブとして機能するものとして説明したが、これは携帯端末１０の機能を明確に説明するためである。従って、各携帯端末１０は、マスターとして機能することも可能であり、スレーブとして機能することも可能であることは勿論である。
【００７７】
（順序テーブル）
以下において、本発明の第１実施形態に係る順序テーブルについて、図面を参照しながら説明する。図３は、本発明の第１実施形態に係る順序テーブルの一例を示す図である。
【００７８】
図３に示すように、順序テーブルでは、各携帯端末１０の端末ＩＤと、各携帯端末１０のユーザ名と、ボタン押下時刻と、鍵生成状況と、備考とが対応付けられている。
【００７９】
ここで、端末ＩＤとは、上述したように、各携帯端末１０のＩＰアドレスやＭＡＣアドレスなどであり、ユーザ名とは、各携帯端末１０を有するユーザの名称であり、ボタン押下時刻とは、各携帯端末１０に設けられたボタンが押下された時刻である。
【００８０】
また、鍵生成状況とは、各携帯端末１０が発生した鍵生成用乱数が暫定鍵情報の生成に用いられているか否かを示す情報である。具体的には、鍵生成用乱数が暫定鍵情報の生成に用いられている場合には、鍵生成状況として「○」が格納され、鍵生成用乱数が暫定鍵情報の生成に用いられていない場合には、鍵生成状況として「×」が格納される。
【００８１】
さらに、備考とは、例えば、各携帯端末１０がマスターとして機能しているか、スレーブとして機能しているかを示す情報などである。
【００８２】
（携帯端末の動作）
以下において、本発明の第１実施形態に係る携帯端末の動作について、図面を参照しながら説明する。図４は、本発明の第１実施形態に係る携帯端末１０の動作を示すシーケンス図である。
【００８３】
なお、以下においては、携帯端末１０ａに設けられたボタンが最初に押下され、携帯端末１０ｂに設けられたボタンが２番目に押下され、携帯端末１０ｎに設けられたボタンが最後に押下されたものとして説明する。すなわち、携帯端末１０ａはマスターとして機能し、携帯端末１０ｂ〜携帯端末１０ｎは、スレーブとして機能する。
【００８４】
図４に示すように、ステップ１０において、各携帯端末１０は、鍵共有開始処理を行う。ここで、鍵共有開始処理とは、デジタルコンテンツを閲覧可能なグループを形成するために、各携帯端末１０間で各種情報を送受信するとともに、マスターとして機能する携帯端末１０を決定する処理である。なお、鍵共有開始処理の詳細については後述する（図５を参照）。
【００８５】
ステップ２０において、各携帯端末１０は、鍵生成処理を行う。ここで、鍵生成処理とは、各携帯端末１０が発生する鍵生成用乱数を用いて、デジタルコンテンツの暗号化に用いられる暗号鍵を生成する処理である。なお、鍵生成処理の詳細については後述する（図６〜図８を参照）。
【００８６】
ステップ３０において、各携帯端末１０は、鍵配信処理を行う。ここで、鍵配信処理とは、デジタルコンテンツの暗号化に用いられる暗号鍵を各携帯端末１０に配信する処理である。なお、鍵配信処理の詳細については後述する（図９〜図１１を参照）
ステップ４０において、各携帯端末１０は、鍵共有確認処理を行う。ここで、鍵共有確認処理とは、デジタルコンテンツを閲覧可能なグループ内で、デジタルコンテンツの暗号化に用いられる暗号鍵を共有することができたか否かを確認する処理である。すなわち、鍵共有確認処理とは、ユーザが意図していない第三者がグループ内に含まれていないかを確認する処理である。なお、鍵共有確認処理の詳細については後述する（図１２を参照）。
【００８７】
以下において、上述した鍵共有開始処理について、図面を参照しながら説明する。図５は、本発明の第１実施形態に係る鍵共有開始処理を示すシーケンス図である。
【００８８】
図５に示すように、ステップ１１ａ〜ステップ１１ｎにおいて、各ユーザは、携帯端末１０ａ〜携帯端末１０ｎに設けられたボタンの押下を開始する。なお、第１実施形態では、上述したように、携帯端末１０ａに設けられたボタンが最初に押下され、携帯端末１０ｂに設けられたボタンが２番目に押下され、携帯端末１０ｎに設けられたボタンが最後に押下される。
【００８９】
ステップ１２において、携帯端末１０ａ〜携帯端末１０ｎは、ボタン押下時刻を含むグループ形成信号を無線回線を通じて送信する。また、携帯端末１０ａ〜携帯端末１０ｎは、ボタン押下時刻を含むグループ形成信号を無線回線を通じて受信する。
【００９０】
ここで、携帯端末１０ａ〜携帯端末１０ｎは、電波到達エリアａ〜電波到達エリアｎのサイズが大きくなりすぎて、ユーザが意図していない第三者がグループ内に含まれてしまうことを防止するために、グループ形成信号の送信電力を一定値以下に制御して、グループ形成信号を送信する。
【００９１】
ステップ１３ａ〜ステップ１３ｎにおいて、携帯端末１０ａ〜携帯端末１０ｎは、受信したグループ形成信号を送信した携帯端末１０によって構成されるグループを形成する。また、携帯端末１０ａ〜携帯端末１０ｎは、グループに含まれる携帯端末１０の数をカウントする。
【００９２】
ステップ１４ａ〜ステップ１４ｎにおいて、各ユーザは、携帯端末１０ａ〜携帯端末１０ｎに設けられたボタンの押下を終了する。
【００９３】
ステップ１５ａ〜ステップ１５ｎにおいて、携帯端末１０ａ〜携帯端末１０ｎは、マスターとして機能するか、スレーブとして機能するかを決定する。具体的には、ボタン押下時刻が最も早い携帯端末１０はマスターとして機能することを決定し、他の携帯端末１０はスレーブとして機能することを決定する。
【００９４】
すなわち、第１実施形態では、携帯端末１０ａはマスターとして機能することを決定し、携帯端末１０ｂ〜携帯端末１０ｎはスレーブとして機能することを決定する。
【００９５】
以下において、上述した鍵生成処理について、図面を参照しながら説明する。図６は、本発明の第１実施形態に係る鍵生成処理を示すシーケンス図である。
【００９６】
図６に示すように、ステップ２１において、携帯端末１０ａは、携帯端末１０ｂ〜携帯端末１０ｎから受信したグループ形成信号に基づいて、携帯端末１０ｂ〜携帯端末１０ｎに順序が割り当てられた順序テーブルを生成する。
【００９７】
ステップ２２ａ〜ステップ２２ｎにおいて、携帯端末１０ａ〜携帯端末１０ｎは、暗号鍵の生成に用いられる鍵生成用乱数をそれぞれ発生する。具体的には、ステップ２２ａにおいて、携帯端末１０ａは、鍵生成用乱数（Ｒa）を発生する。同様に、ステップ２２ｂにおいて、携帯端末１０ｂは、鍵生成用乱数（Ｒb）を発生し、携帯端末１０ｎは、鍵生成用乱数（Ｒn）を発生する。
【００９８】
ステップ２３において、携帯端末１０ａは、携帯端末１０ａに対応する鍵生成状況として「○」を順序テーブルに格納するとともに、鍵生成用乱数（Ｒa）及び順序テーブルを携帯端末１０ｂに送信する。
【００９９】
ここで、携帯端末１０ａは、電波到達エリアａのサイズが大きくなりすぎて、ユーザが意図していない第三者によって鍵生成用乱数（Ｒa）が盗聴されてしまうことを防止するために、鍵生成用乱数（Ｒa）の送信電力を一定値以下に制御して、鍵生成用乱数（Ｒa）を送信する。
【０１００】
ステップ２４において、携帯端末１０ｂは、鍵生成用乱数（Ｒa）及び鍵生成用乱数（Ｒb）を用いて暫定鍵情報（ＴＫab）を生成する。具体的には、携帯端末１０ｂは、鍵生成用乱数（Ｒa）及び鍵生成用乱数（Ｒb）をＸＯＲ演算することによって、暫定鍵情報（ＴＫab）を生成する。
【０１０１】
ステップ２５において、携帯端末１０ｂは、携帯端末１０ｂに対応する鍵生成状況として「○」を順序テーブルに格納するとともに、携帯端末１０ｂの次にボタン押下時刻が早い携帯端末１０に暫定鍵情報（ＴＫab）及び順序テーブルを送信する。
【０１０２】
ここで、携帯端末１０ｂは、電波到達エリアｂのサイズが大きくなりすぎて、ユーザが意図していない第三者によって暫定鍵情報（ＴＫab）が盗聴されてしまうことを防止するために、暫定鍵情報（ＴＫab）の送信電力を一定値以下に制御して、暫定鍵情報（ＴＫab）を送信する。
【０１０３】
このように、各携帯端末１０（スレーブ端末）は、各携帯端末１０が発生した鍵生成用乱数を用いて暫定鍵情報を更新し、暫定鍵情報は、ボタン押下時刻が最も遅い携帯端末１０ｎに最終的に送信される。
【０１０４】
ステップ２６において、携帯端末１０ｎは、暫定鍵情報（ＴＫa〜n-1）及び鍵生成用乱数（Ｒn）を用いて暫定鍵情報（ＴＫa〜n）を生成する。具体的には、携帯端末１０ｂは、暫定鍵情報（ＴＫa〜n-1）及び鍵生成用乱数（Ｒn）をＸＯＲ演算することによって、暫定鍵情報（ＴＫa〜n）を生成する。
【０１０５】
ステップ２７において、携帯端末１０ｎは、携帯端末１０ｎに対応する鍵生成状況として「○」を順序テーブルに格納するとともに、暫定鍵情報（ＴＫa〜n）及び順序テーブルを携帯端末１０ａに送信する。
【０１０６】
ここで、携帯端末１０ｎは、電波到達エリアｎのサイズが大きくなりすぎて、ユーザが意図していない第三者によって暫定鍵情報（ＴＫa〜n）が盗聴されてしまうことを防止するために、暫定鍵情報（ＴＫa〜n）の送信電力を一定値以下に制御して、暫定鍵情報（ＴＫa〜n）を送信する。
【０１０７】
ステップ２８において、携帯端末１０ａは、鍵生成終了判定処理（マスター）を行う。ここで、鍵生成終了判定処理（マスター）は、マスターとして機能する携帯端末１０ａが鍵生成処理を終了するか否かを判定する処理である。また、鍵生成終了判定処理（マスター）の詳細については後述する（図７を参照）。
【０１０８】
ステップ２９ｂ〜ステップ２９ｎにおいて、携帯端末１０ｂ〜携帯端末１０ｎは、鍵生成終了判定処理（スレーブ）を行う。ここで、鍵生成終了判定処理（スレーブ）は、スレーブとして機能する携帯端末１０ｂ〜携帯端末１０ｎが鍵生成処理を終了するか否かを判定する処理である。また、鍵生成終了判定処理（スレーブ）の詳細については後述する（図８を参照）。
【０１０９】
以下において、上述した鍵生成処理終了判定処理（マスター）について、図面を参照しながら説明する。図７は、本発明の第１実施形態に係る鍵生成処理終了判定処理（マスター）を示すフロー図である。
【０１１０】
図７に示すように、ステップ２８１において、携帯端末１０ａは、上述したステップ２７で受信した順序テーブルを確認する。
【０１１１】
ステップ２８２において、携帯端末１０ａは、グループに含まれる全ての携帯端末１０が発生した鍵生成用乱数が暫定鍵情報の生成に用いられているか否かを判定する。具体的には、携帯端末１０ａは、順序テーブルの鍵生成状況が全て「○」であるか否かを判定する。また、携帯端末１０ａは、鍵生成状況が全て「○」である場合には、ステップ２８３の処理に移り、鍵生成状況が全て「○」でない場合には、ステップ２８６の処理に移る。
【０１１２】
ステップ２８３において、携帯端末１０ａは、携帯端末１０ｂ〜携帯端末１０ｎからタイムアウト通知を受信したか否かを判定する。また、携帯端末１０ａは、タイムアウト通知を受信した場合には、ステップ２８６の処理に移り、タイムアウト通知を受信していない場合には、ステップ２８４の処理に移る。
【０１１３】
ステップ２８４において、携帯端末１０ａは、暗号鍵の生成が完了したことを示す鍵生成完了通知を携帯端末１０ｂ〜携帯端末１０ｎに送信する。
【０１１４】
ステップ２８５において、携帯端末１０ａは、各携帯端末１０が発生した鍵生成用乱数の全てを用いて生成された暫定鍵情報（ＴＫa〜n）を暗号鍵として鍵情報記憶部１６に格納し、鍵生成処理を終了する。
【０１１５】
ステップ２８６において、携帯端末１０ａは、暗号鍵の生成過程で異常が発生したことを示す鍵生成異常通知を携帯端末１０ｂ〜携帯端末１０ｎに送信する。
【０１１６】
ステップ２８７において、携帯端末１０ａは、鍵生成用乱数（Ｒa）を削除する。また、携帯端末１０ａは、上述したステップ２２ａの処理に戻る。
【０１１７】
以下において、上述した鍵生成処理終了判定処理（スレーブ）について、図面を参照しながら説明する。図８は、本発明の第１実施形態に係る鍵生成処理終了判定処理（スレーブ）を示すフロー図である。なお、ステップ２９ｂ〜ステップ２９ｎの処理は同様の処理であるため、ステップ２９の処理、すなわち、携帯端末１０ｂの処理を例に挙げて説明する。
【０１１８】
図８に示すように、ステップ２９１において、携帯端末１０ｂは、タイマ（ｔ１）に所定の判定時間をセットする。
【０１１９】
ステップ２９２において、携帯端末１０ｂは、上述した鍵生成完了通知を携帯端末１０ａから受信したか否かを判定する。また、携帯端末１０ｂは、鍵生成完了通知を受信した場合には、ステップ２９３の処理に移り、鍵生成完了通知を受信していない場合には、ステップ２９４の処理に移る。
【０１２０】
ステップ２９３において、携帯端末１０ｂは、鍵生成処理を終了する。
【０１２１】
ステップ２９４において、携帯端末１０ｂは、上述した鍵生成異常通知を携帯端末１０ａから受信したか否かを判定する。また、携帯端末１０ｂは、鍵生成異常通知を受信した場合には、ステップ２９７の処理に移り、鍵生成異常通知を受信していない場合には、ステップ２９６の処理に移る。
【０１２２】
ステップ２９５において、携帯端末１０ｂは、タイマ（ｔ１）の値が“０”よりも大きいか否かを判定する。また、携帯端末１０ｂは、タイマ（ｔ１）の値が“０”よりも大きい場合には、ステップ２９８の処理に移り、タイマ（ｔ１）の値が“０”以下である場合には、ステップ２９６の処理に移る。
【０１２３】
ステップ２９６において、携帯端末１０ｂは、所定の判定時間内に暗号鍵の生成が完了しなかったことを示すタイムアウト通知を携帯端末１０ａに送信する。
【０１２４】
ステップ２９７において、携帯端末１０ｂは、鍵生成用乱数（Ｒb）を削除する。また、携帯端末１０ｂは、上述したステップ２２ｂの処理に戻る。
【０１２５】
ステップ２９８において、携帯端末１０ｂは、タイマ（ｔ１）の値を減算して、ステップ２９２の処理に戻る。
【０１２６】
以下において、上述した鍵配信処理について、図面を参照しながら説明する。図９は、本発明の第１実施形態に係る鍵配信処理を示すシーケンス図である。
【０１２７】
図９に示すように、ステップ３１ａ〜ステップ３１ｎにおいて、携帯端末１０ａ〜携帯端末１０ｎは、タイマ（ｔ２）に所定の判定時間をセットする。
【０１２８】
ステップ３２において、携帯端末１０ａは、鍵情報記憶部１６に記憶された暗号鍵を携帯端末１０ｂに送信する。
【０１２９】
ここで、携帯端末１０ａは、電波到達エリアａのサイズが大きくなりすぎて、ユーザが意図していない第三者によって暗号鍵が盗聴されてしまうことを防止するために、暗号鍵の送信電力を一定値以下に制御して、暗号鍵を送信する。
【０１３０】
ステップ３３において、携帯端末１０ｂは、鍵受信判定処理を行う。ここで、鍵受信判定処理とは、タイマ（ｔ２）にセットされた所定の判定時間内に暗号鍵を受信できたか否かを判定する処理である。なお、鍵受信判定処理の詳細については後述する（図１０を参照）。
【０１３１】
ステップ３４において、携帯端末１０ｂは、携帯端末１０ａから暗号鍵を受信できた場合には、携帯端末１０ｂの次にボタン押下時刻が早い携帯端末１０に暗号鍵を送信する。
【０１３２】
ここで、携帯端末１０ｂは、電波到達エリアｂのサイズが大きくなりすぎて、ユーザが意図していない第三者によって暗号鍵が盗聴されてしまうことを防止するために、暗号鍵の送信電力を一定値以下に制御して、暗号鍵を送信する。
【０１３３】
このように、各携帯端末１０は、順序テーブルで各携帯端末１０に対応付けられた順序に従って暗号鍵を転送し、暗号鍵は、ボタン押下時刻が最も遅い携帯端末１０ｎに最終的に転送される。
【０１３４】
ステップ３５において、携帯端末１０ｂは、タイマ（ｔ２）にセットされた所定の判定時間内に暗号鍵を受信できたか否かを示す鍵受信応答を携帯端末１０ａに送信する。なお、鍵受信応答には、所定の判定時間内に暗号鍵を受信できたことを示す鍵受信確認と、所定の判定時間内に暗号鍵を受信できなかったことを示すタイムアウト通知とが含まれる。
【０１３５】
ステップ３６において、携帯端末１０ｎは、携帯端末１０ｂと同様に、鍵受信判定処理を行う。ここで、鍵受信判定処理とは、上述したように、タイマ（ｔ２）にセットされた所定の判定時間内に暗号鍵を受信できたか否かを判定する処理である。
【０１３６】
ステップ３７において、携帯端末１０ｎは、携帯端末１０ｂと同様に、タイマ（ｔ２）にセットされた所定の判定時間内に暗号鍵を受信できたか否かを示す鍵受信応答を携帯端末１０ａに送信する。
【０１３７】
ステップ３８において、携帯端末１０ａは、鍵配信終了判定処理を行う。ここで、鍵配信終了判定処理とは、鍵配信処理を終了するか否かを判定する処理である。なお、鍵配信終了判定処理の詳細については後述する（図１１を参照）。
【０１３８】
以下において、上述した鍵受信判定処理について、図面を参照しながら説明する。図１０は、本発明の第１実施形態に係る鍵受信判定処理を示すフロー図である。なお、ステップ３３及びステップ３６の処理は同様の処理であるため、ステップ３３の処理、すなわち、携帯端末１０ｂの処理を例に挙げて説明する。
【０１３９】
図１０に示すように、ステップ３３１において、携帯端末１０ｂは、暗号鍵の受信待ち状態となる。
【０１４０】
ステップ３３２において、携帯端末１０ｂは、暗号鍵を受信したか否かを判定する。また、携帯端末１０ｂは、暗号鍵を受信した場合には、ステップ３３３の処理に移り、暗号鍵を受信していない場合には、ステップ３３４の処理に移る。
【０１４１】
ステップ３３３において、携帯端末１０ｂは、所定の判定時間内に暗号鍵を受信できたことを示す鍵受信確認を鍵受信応答として携帯端末１０ａに送信する。
【０１４２】
ステップ３３４において、携帯端末１０ｂは、暗号鍵の配信過程で異常が発生したことを示す鍵配信異常終了通知を携帯端末１０ａから受信したか否かを判定する。また、携帯端末１０ｂは、鍵配信異常終了通知を受信した場合には、ステップ３１ｂの処理に戻り、鍵配信異常終了通知を受信していない場合には、ステップ３３５の処理に移る。
【０１４３】
ステップ３３５において、携帯端末１０ｂは、タイマ（ｔ２）の値が“０”よりも大きいか否かを判定する。また、携帯端末１０ｂは、タイマ（ｔ１）の値が“０”よりも大きい場合には、ステップ３３７の処理に移り、タイマ（ｔ１）の値が“０”以下である場合には、ステップ３３６の処理に移る。
【０１４４】
ステップ３３６において、携帯端末１０ｂは、所定の判定時間内に暗号鍵を受信できなかったことを示すタイムアウト通知を鍵受信応答として携帯端末１０ａに送信する。
【０１４５】
ステップ３３７において、携帯端末１０ｂは、タイマ（ｔ２）の値を減算して、ステップ３３１の処理に戻る。
【０１４６】
以下において、上述した鍵配信終了判定処理について、図面を参照しながら説明する。図１１は、本発明の第１実施形態に係る鍵配信終了判定処理を示すフロー図である。
【０１４７】
図１１に示すように、ステップ３８１において、携帯端末１０ａは、鍵受信応答の受信待ち状態となる。
【０１４８】
ステップ３８２において、携帯端末１０ａは、グループ内に含まれる全ての携帯端末１０（スレーブ端末；携帯端末１０ｂ〜携帯端末１０ｎ）から、所定の判定時間内に暗号鍵を受信できたことを示す鍵受信確認を鍵受信応答として受信したか否かを判定する。また、携帯端末１０ａは、グループ内に含まれる全ての携帯端末１０から鍵受信確認を受信した場合には、鍵配信処理を終了し、グループ内に含まれるいずれかの携帯端末１０から鍵受信確認を受信していない場合には、ステップ３８３の処理に移る。
【０１４９】
ステップ３８３において、携帯端末１０ａは、タイムアウト通知を鍵受信応答として受信したか否かを判定する。また、携帯端末１０ａは、タイムアウト通知を受信した場合には、ステップ３８５の処理に移り、タイムアウト通知を受信していない場合には、ステップ３８４の処理に移る。
【０１５０】
ステップ３８４において、携帯端末１０ａは、タイマ（ｔ２）の値が“０”よりも大きいか否かを判定する。また、携帯端末１０ａは、タイマ（ｔ２）の値が“０”よりも大きい場合には、ステップ３８６の処理に移り、タイマ（ｔ２）の値が“０”以下である場合には、ステップ３８５の処理に移る。
【０１５１】
ステップ３８５において、携帯端末１０ａは、暗号鍵の配信過程で異常が発生したことを示す鍵配信異常終了通知を携帯端末１０ｂ〜携帯端末１０ｎに送信する。
【０１５２】
ステップ３８６において、携帯端末１０ａは、タイマ（ｔ２）の値を減算して、ステップ３８１の処理に戻る。
【０１５３】
以下において、上述した鍵共有確認処理について、図面を参照しながら説明する。図１２は、本発明の第１実施形態に係る鍵共有確認処理を示すシーケンス図である。
【０１５４】
図１２に示すように、ステップ４１において、携帯端末１０ａは、音楽情報記憶部１７に記憶された音楽情報を、グループ内に含まれる携帯端末１０の数（ｎ）＋１に分割する。また、携帯端末１０ａは、順序テーブルで携帯端末１０ｂ〜携帯端末１０ｎに対応付けられた順序及び音楽情報に予め定められた再生順序に応じて、“ｎ＋１”に分割された音楽情報（以下、分割音楽情報）を携帯端末１０ｂ〜携帯端末１０ｎに割り当てる。また、携帯端末１０ａは、１番目の分割音楽情報とｎ＋１番目の分割音楽情報を携帯端末１０ａに割り当てる。
【０１５５】
ステップ４２ｂ〜ステップ４２ｎにおいて、携帯端末１０ａは、携帯端末１０ｂ〜携帯端末１０ｎに割り当てられた分割音楽情報をそれぞれ携帯端末１０ｂ〜携帯端末１０ｎに送信する。
【０１５６】
ステップ４３において、携帯端末１０ａは、１番目の分割音楽情報を再生する。
【０１５７】
ステップ４４において、携帯端末１０ａは、２番目の分割音楽の再生要求を携帯端末１０ｂに送信する。
【０１５８】
ステップ４５において、携帯端末１０ｂは、２番目の分割音楽情報を再生する。
【０１５９】
ステップ４６において、携帯端末１０ｂは、携帯端末１０ｂの次にボタン押下時刻が早い携帯端末１０に３番目の分割音楽の再生要求を送信する。
【０１６０】
このように、各携帯端末１０（スレーブ端末）は、音楽情報に予め定められた再生順序に従って、分割音楽情報を再生する。また、各携帯端末１０（スレーブ端末）は、順序テーブルで携帯端末１０に対応付けられた順序に従って、分割音楽情報の再生要求を転送し、分割音楽情報の再生要求は、ボタン押下時刻が最も遅い携帯端末１０ｎに最終的に送信される。
【０１６１】
ステップ４７において、携帯端末１０ｎは、ｎ番目の分割音楽情報を再生する。
【０１６２】
ステップ４８において、携帯端末１０ｎは、ｎ＋１番目の分割音楽情報の再生要求を携帯端末１０ａに送信する。
【０１６３】
ステップ４９において、携帯端末１０ａは、ｎ＋１番目の分割音楽情報を再生する。
【０１６４】
ステップ５０において、携帯端末１０ａは、鍵共有終了判定処理（マスター）を行う。ここで、鍵共有終了判定処理（マスター）は、携帯端末１０ａが鍵共有確認処理を終了するか否かを判定する処理である。なお、鍵共有終了判定処理（マスター）の詳細については後述する（図１３（ａ）を参照）。
【０１６５】
ステップ５１ｂ〜ステップ５１ｎにおいて、携帯端末１０ｂ〜携帯端末１０ｎは、鍵共有終了判定処理（スレーブ）を行う。ここで、鍵共有終了判定処理（スレーブ）は、携帯端末１０ｂ〜携帯端末１０ｎが鍵共有確認処理を終了するか否かを判定する処理である。なお、鍵共有終了判定処理（スレーブ）の詳細については後述する（図１３（ｂ）を参照）。
【０１６６】
以下において、上述した鍵共有終了判定処理について、図面を参照しながら説明する。図１３は、本発明の第１実施形態に係る鍵共有終了判定処理を示すフロー図である。
【０１６７】
最初に、上述した鍵共有終了判定処理（マスター）について説明する。図１３（ａ）は、本発明の第１実施形態に係る鍵共有終了判定処理（マスター）を示すフロー図である。
【０１６８】
図１３（ａ）に示すように、ステップ５０１において、携帯端末１０ａは、ユーザが意図していない第三者がグループに含まれていないかの確認をユーザに促す確認画面（マスター用）を表示する。具体的には、確認画面（マスター用）は、ユーザが意図していない第三者がグループに含まれていなければ、携帯端末１０ａに設けられたボタンを押下するように促す画面である。
【０１６９】
ステップ５０２において、携帯端末１０ａは、携帯端末１０ａに設けられたボタンが所定時間内に押下されたか否かを判定する。また、携帯端末１０ａは、ボタンが所定時間内に押下された場合には、ステップ５０３の処理に移り、ボタンが所定時間内に押下されなかった場合には、ステップ５０４の処理に移る。
【０１７０】
ステップ５０３において、携帯端末１０ａは、暗号鍵の生成する処理である鍵生成処理から一連の処理をやり直すことを指示する再処理要求を携帯端末１０ｂ〜携帯端末１０ｎに送信する。また、携帯端末１０ａは、ステップ２２ａの処理に戻る。
【０１７１】
ステップ５０４において、携帯端末１０ａは、グループ内で暗号鍵の共有が完了したことを示す鍵共有完了通知を携帯端末１０ｂ〜携帯端末１０ｎに送信する。
【０１７２】
次に、上述した鍵共有終了判定処理（スレーブ）について説明する。図１３（ｂ）は、本発明の第１実施形態に係る鍵共有終了判定処理（スレーブ）を示すフロー図である。なお、ステップ５１ｂ及びステップ５１ｎの処理は同様の処理であるため、ステップ５１ｂの処理、すなわち、携帯端末１０ｂの処理を例に挙げて説明する。
【０１７３】
図１３（ｂ）に示すように、ステップ５１１において、携帯端末１０ｂは、ユーザが意図していない第三者がグループに含まれていないかを確認中であることを示す確認画面（スレーブ用）を表示する。具体的には、確認画面（スレーブ用）は、「最終確認中」などの文字列が表示される画面である。
【０１７４】
ステップ５１２において、携帯端末１０ｂは、鍵共有完了通知を所定時間内に携帯端末１０ａから受信したか否かを判定する。また、携帯端末１０ｂは、鍵共有完了通知を所定時間内に受信した場合には、鍵共有確認処理を終了する。一方、携帯端末１０ｂは、鍵共有完了通知を所定時間内に受信せずに、再処理要求を受信した場合には、ステップ２２ｂの処理に戻る。
【０１７５】
（作用及び効果）
本発明の第１実施形態に係る無線通信システムによれば、携帯端末１０ａ〜携帯端末１０ｎが、グループ形成信号の送信電力を一定値以下に制御することにより、互いに近接する携帯端末１０のみをデジタルコンテンツを閲覧可能なグループ内に含めることができる。従って、ユーザが意図していない第三者（携帯端末１０ｘや携帯端末１０ｙ）がグループ内に含まれることを防止することができる。
【０１７６】
また、暫定鍵情報（ＴＫa〜n）が鍵生成用乱数（Ｒa）〜鍵生成用乱数（Ｒn）を用いて生成され、携帯端末１０ｂ〜携帯端末１０ｎ（スレーブ端末）が暗号鍵を取得するための鍵情報が暫定鍵情報（ＴＫa〜n）を用いて生成されることにより、ユーザが意図していない第三者（携帯端末１０ｘや携帯端末１０ｙ）が鍵情報や暗号鍵を推測することが困難になる。
【０１７７】
さらに、デジタルコンテンツを閲覧可能なグループを形成する際に、各携帯端末１０が発生する鍵生成用乱数（Ｒa）〜鍵生成用乱数（Ｒn）を用いて暗号鍵が生成されることにより、携帯端末１０ａ〜携帯端末１０ｎが暗号鍵を予め管理している必要がなく、暗号鍵の管理が煩雑になることを防止することができる。
【０１７８】
また、携帯端末１０ａ〜携帯端末１０ｎが、暗号鍵の送信電力を一定値以下に制御することにより、互いに近接する携帯端末１０のみに暗号鍵を送信することができる。従って、ユーザが意図していない第三者（携帯端末１０ｘや携帯端末１０ｙ）によって暗号鍵が盗聴される可能性を軽減することができる。
【０１７９】
携帯端末１０ａ（マスター端末）が、鍵生成用乱数（Ｒa）の送信電力を一定値以下に制御することにより、互いに近接する携帯端末１０のみに鍵生成用乱数（Ｒa）を送信することができる。従って、ユーザが意図していない第三者（携帯端末１０ｘや携帯端末１０ｙ）によって鍵生成用乱数（Ｒa）が盗聴されて、暗号鍵が推測される可能性を軽減することができる。
【０１８０】
同様に、携帯端末１０ｂ〜携帯端末１０ｎ（スレーブ端末）が、暫定鍵情報の送信電力を一定値以下に制御することにより、互いに近接する携帯端末１０のみに暫定鍵情報を送信することができる。従って、ユーザが意図していない第三者（携帯端末１０ｘや携帯端末１０ｙ）によって暫定鍵情報が盗聴されて、暗号鍵が推測される可能性を軽減することができる。
【０１８１】
さらに、携帯端末１０ａ〜携帯端末１０ｎが、順序テーブルで各携帯端末１０に対応付けられた順序に従って、再生順序が定められた音楽情報を再生することにより、ユーザが意図していない第三者（携帯端末１０ｘや携帯端末１０ｙ）がグループ内に含まれてしまった場合であっても、ユーザが意図していない第三者がグループ内に含まれていることをユーザに報知することができる。
【０１８２】
さらに、ユーザがボタンを押下するだけで、携帯端末１０ａ〜携帯端末１０ｎがグループ形成信号を交換し、デジタルコンテンツを閲覧可能なグループが形成される。すなわち、従来技術のように、ＰＩＮコードなどを入力しなくても、デジタルコンテンツを閲覧可能なグループを容易に形成することができる。
【０１８３】
[第２実施形態]
以下において、本発明の第２実施形態に係る無線通信システムについて、図面を参照しながら説明する。なお、以下においては、上述した第１実施形態との相違点を主として説明する。
【０１８４】
具体的には、上述した第１実施形態に係る鍵生成処理（ステップ２０）では、各携帯端末１０（スレーブ端末；携帯端末１０ｂ〜携帯端末１０ｎ）が順序テーブルで各携帯端末１０に対応付けられた順序に従って暫定鍵情報の生成及び転送を順に繰り返す。これによって、ボタン押下時間が最も遅い携帯端末１０ｎは、携帯端末１０ｂ〜携帯端末１０ｎが生成する鍵生成用乱数の全てを用いた暫定鍵情報（ＴＫa〜n）を生成する。
【０１８５】
これに対して、第２実施形態に係る鍵生成処理では、携帯端末１０ａ（マスター端末）が、携帯端末１０ｂ〜携帯端末１０ｎ（スレーブ端末）から暫定鍵情報を１対１で受信することによって、携帯端末１０ｂ〜携帯端末１０ｎが生成する鍵生成用乱数を取得する。これによって、携帯端末１０ａは、携帯端末１０ｂ〜携帯端末１０ｎが生成する鍵生成用乱数の全てを用いた暫定鍵情報（ＴＫa〜n）を生成する。
【０１８６】
また、上述した第１実施形態に係る鍵配信処理（ステップ３０）では、各携帯端末１０（スレーブ端末；携帯端末１０ｂ〜携帯端末１０ｎ）は、順序テーブルで各携帯端末１０に対応付けられた順序に従って暗号鍵の転送を繰り返す。これによって、暗号鍵がグループ内に含まれる携帯端末１０に配信される。
【０１８７】
これに対して、第２実施形態に係る鍵配信処理では、携帯端末１０ａは、携帯端末１０ｂ〜携帯端末１０ｎがそれぞれ暗号鍵を取得するための暫定鍵情報を１対１で携帯端末１０ｂ〜携帯端末１０ｎに送信する。これによって、携帯端末１０ｂ〜携帯端末１０ｎが暗号鍵を生成し、暗号鍵の配信が完了する。
【０１８８】
さらに、上述した第１実施形態に係る鍵共有確認処理（ステップ３０）では、各携帯端末１０（スレーブ端末；携帯端末１０ｂ〜携帯端末１０ｎ）が、順序テーブルで各携帯端末１０に対応付けられた順序に従って、分割音楽情報の再生及び再生要求の送信を繰り返す。
【０１８９】
これに対して、第２実施形態に係る鍵共有確認処理では、携帯端末１０ａが、携帯端末１０ｂ〜携帯端末１０ｎに１対１で再生要求を送信する。
【０１９０】
（携帯端末の動作）
以下において、本発明の第２実施形態に係る鍵生成処理について、図面を参照しながら説明する。図１４は、本発明の第２実施形態に係る鍵生成処理を示すシーケンス図である。なお、図１４では、上述した図６と同様の処理については、同一のステップ番号が付与されている。
【０１９１】
図１４に示すように、ステップ６１において、携帯端末１０ａは、ステップ２２ａで発生させた鍵生成用乱数（Ｒa）を携帯端末１０ｂに送信する。
【０１９２】
ステップ６２において、携帯端末１０ｂは、鍵生成用乱数（Ｒa）及び鍵生成用乱数（Ｒb）を用いて暫定鍵情報（ＴＫab）を生成する。具体的には、携帯端末１０ｂは、鍵生成用乱数（Ｒa）及び鍵生成用乱数（Ｒb）をＸＯＲ演算することによって、暫定鍵情報（ＴＫab）を生成する。
【０１９３】
ステップ６３において、携帯端末１０ｂは、暫定鍵情報（ＴＫab）を携帯端末１０ａに送信する。
【０１９４】
ステップ６４において、携帯端末１０ａは、ステップ２２ｂで携帯端末１０ｂが発生した鍵生成用乱数（Ｒb）を算出する。具体的には、携帯端末１０ａは、鍵生成用乱数（Ｒa）及び暫定鍵情報（ＴＫab）をＸＯＲ演算することによって、鍵生成用乱数（Ｒb）を取得する。
【０１９５】
同様にして、携帯端末１０ａは、グループ内に含まれる他の携帯端末１０が生成する鍵生成用乱数を取得する。
【０１９６】
ステップ６５において、ステップ２２ａで発生させた鍵生成用乱数（Ｒa）を携帯端末１０ｎに送信する。
【０１９７】
ステップ６６において、携帯端末１０ｎは、鍵生成用乱数（Ｒa）及び鍵生成用乱数（Ｒn）を用いて暫定鍵情報（ＴＫan）を生成する。具体的には、携帯端末１０ｎは、鍵生成用乱数（Ｒa）及び鍵生成用乱数（Ｒn）をＸＯＲ演算することによって、暫定鍵情報（ＴＫan）を生成する。
【０１９８】
ステップ６７において、携帯端末１０ｎは、暫定鍵情報（ＴＫan）を携帯端末１０ａに送信する。
【０１９９】
ステップ６８において、携帯端末１０ａは、ステップ２２ｎで携帯端末１０ｎが発生した鍵生成用乱数（Ｒn）を算出する。具体的には、携帯端末１０ａは、鍵生成用乱数（Ｒa）及び暫定鍵情報（ＴＫan）をＸＯＲ演算することによって、鍵生成用乱数（Ｒn）を取得する。
【０２００】
また、携帯端末１０ａは、グループ内に含まれる各携帯端末１０が生成した鍵生成用乱数の全て（鍵生成用乱数（Ｒa）〜鍵生成用乱数（Ｒn））を用いて、暫定鍵情報（ＴＫa〜n）を生成する。具体的には、携帯端末１０ａは、鍵生成用乱数（Ｒa）〜鍵生成用乱数（Ｒn）をＸＯＲ演算することによって、暫定鍵情報（ＴＫa〜n）を生成する。なお、暫定鍵情報（ＴＫa〜n）は、デジタルコンテンツの暗号化に用いられる暗号鍵となる。
【０２０１】
以下において、本発明の第２実施形態に係る鍵配信処理について、図面を参照しながら説明する。図１５は、本発明の第２実施形態に係る鍵配信処理を示すシーケンス図である。なお、図１５では、上述した鍵配信終了判定処理及び鍵受信判定処理は、説明を明確にするために省略されている。
【０２０２】
図１５に示すように、ステップ７１において、携帯端末１０ａは、携帯端末１０ｂが暗号鍵を取得するための鍵情報（Ｋ-b）を生成する。具体的には、携帯端末１０ａは、暗号鍵である暫定鍵情報（ＴＫa〜n）及び鍵生成用乱数（Ｒb）をＸＯＲ演算することによって、鍵情報（Ｋ-b）を生成する。また、携帯端末１０ａは、鍵情報（Ｋ-b）を携帯端末１０ｂに送信する。
【０２０３】
ステップ７２において、携帯端末１０ｂは、鍵情報（Ｋ-b）を用いて暗号鍵を生成する。具体的には、携帯端末１０ｂは、鍵情報（Ｋ-b）及び鍵生成用乱数（Ｒb）をＸＯＲ演算することによって、暗号鍵である暫定鍵情報（ＴＫa〜n）を生成する。
【０２０４】
ステップ７３において、携帯端末１０ｂは、鍵情報（Ｋ-)）を受信して暗号鍵を生成することができたか否かを示す鍵受信応答を携帯端末１０ａに送信する。
【０２０５】
同様にして、携帯端末１０ａは、各携帯端末１０（スレーブ端末）がそれぞれ暗号鍵を取得するための鍵情報を各携帯端末１０（スレーブ端末）に送信する。一方、各携帯端末１０（スレーブ端末）は、携帯端末１０ａから受信した鍵情報を用いて暗号鍵である暫定鍵情報（ＴＫa〜n）を生成し、鍵受信応答を携帯端末１０ａに送信する。
【０２０６】
ステップ７４において、携帯端末１０ａは、携帯端末１０ｎが暗号鍵を取得するための鍵情報（Ｋ-n）を生成する。具体的には、携帯端末１０ａは、暗号鍵である暫定鍵情報（ＴＫa〜n）及び鍵生成用乱数（Ｒn）をＸＯＲ演算することによって、鍵情報（Ｋ-n）を生成する。また、携帯端末１０ａは、鍵情報（Ｋ-n）を携帯端末１０ｎに送信する。
【０２０７】
ステップ７５において、携帯端末１０ｎは、鍵情報（Ｋ-n）を用いて暗号鍵を生成する。具体的には、携帯端末１０ｎは、鍵情報（Ｋ-n）及び鍵生成用乱数（Ｒn）をＸＯＲ演算することによって、暗号鍵である暫定鍵情報（ＴＫa〜n）を生成する。
【０２０８】
ステップ７６において、携帯端末１０ｎは、鍵情報（Ｋ-n）を受信して暗号鍵を生成することができたか否かを示す鍵受信応答を携帯端末１０ａに送信する。
【０２０９】
このように、第２実施形態では、暗号鍵そのものが無線回線を通じて送信されることなく、各携帯端末１０に暗号鍵が配信される。
【０２１０】
以下において、本発明の第２実施形態に係る鍵共有確認処理について、図面を参照しながら説明する。図１６は、本発明の第２実施形態に係る鍵共有確認処理を示すシーケンス図である。なお、図１６では、上述した図１２と同様の処理については、同一のステップ番号が付与されている。
【０２１１】
図１６に示すように、ステップ８１において、携帯端末１０ａは、ステップ４１で携帯端末１０ｂに割り当てられた分割音楽情報及びその再生要求を携帯端末１０ｂに送信する。
【０２１２】
ステップ８２において、携帯端末１０ｂは、携帯端末１０ａから受信した分割音楽情報の再生が完了したことを示す再生完了通知を携帯端末１０ａに送信する。
【０２１３】
同様にして、携帯端末１０ａは、順序テーブルで各携帯端末１０（スレーブ端末）に対応付けられた順序に従って、各携帯端末１０（スレーブ端末）に割り当てられた分割音楽情報及びその再生要求を送信する。
【０２１４】
一方、各携帯端末１０（スレーブ端末）は、携帯端末１０ａから受信した分割音楽情報を再生するとともに、分割音楽情報の再生が完了したことを示す再生完了通知を携帯端末１０ａに送信する。
【０２１５】
ステップ８３において、携帯端末１０ａは、携帯端末１０ａは、ステップ４１で携帯端末１０ｎに割り当てられた分割音楽情報及びその再生要求を携帯端末１０ｎに送信する。
【０２１６】
ステップ８４において、携帯端末１０ｎは、携帯端末１０ａから受信した分割音楽情報の再生が完了したことを示す再生完了通知を携帯端末１０ｎに送信する。
【０２１７】
（作用及び効果）
本発明の第２実施形態に係る無線通信システムによれば、携帯端末１０ａ（マスター端末）が、暗号鍵そのものではなくて、鍵情報（Ｋ-b）〜鍵情報（Ｋ-n）を携帯端末１０ｂ〜携帯端末１０ｎ（スレーブ端末）に送信し、携帯端末１０ｂ〜携帯端末１０ｎ（スレーブ端末）が、鍵情報（Ｋ-b）〜鍵情報（Ｋ-n）を用いて暗号鍵を生成する。従って、暗号鍵が盗聴されることを防止することができる。
【０２１８】
[変更例]
上述した第１実施形態及び第２実施形態では、暗号鍵は、携帯端末１０ａ〜携帯端末１０ｎに共通する共通鍵であるが、これに限定されるものではなく、非対称鍵であってもよい。
【０２１９】
また、上述した第１実施形態及び第２実施形態では、鍵生成情報は、携帯端末１０ａ〜携帯端末１０ｎが発生する鍵生成用乱数であるが、これに限定されるものではなく、携帯端末１０ａ〜携帯端末１０ｎのＩＰアドレスやＭＡＣアドレスであってもよい。
【０２２０】
さらに、上述した第１実施形態及び第２実施形態では、鍵共有確認処理で用いられる確認情報は、再生順序が定められた音楽情報であるが、これに限定されるものではなく、再生順序が定められた画像情報やＬＥＤの点灯情報であってもよい。例えば、画像情報としては、携帯端末１０ａ〜携帯端末１０ｎの表示領域に順に表示される数字などが挙げられる。また、例えば、ＬＥＤの点灯情報としては、携帯端末１０ａ〜携帯端末１０ｎに設けられたＬＥＤが青→黄→赤の順に点灯するパターンなどが挙げられる。
【０２２１】
また、上述した第１実施形態及び第２実施形態では、携帯端末１０ａは、鍵生成用乱数（Ｒａ）をそのまま送信するが、これに限定されるものではなく、携帯端末１０ａのＩＰアドレスやＭＡＣアドレスなどと鍵生成用乱数（Ｒａ）とをＸＯＲ演算してから、ＸＯＲ演算の結果を送信してもよい。
【０２２２】
さらに、上述した第１実施形態及び第２実施形態では、携帯端末１０ａ〜携帯端末１０ｎは、各携帯端末が送信する信号の送信電力を制御することによって、電波到達エリアａ〜電波到達エリアｎのサイズを制御するが、これに限定されるものではなく、他の方法によって電波到達エリアａ〜電波到達エリアｎのサイズを制御してもよい。
【０２２３】
また、上述した第１実施形態及び第２実施形態では、携帯端末１０ａ〜携帯端末１０ｎは、各携帯端末が送信する信号の送信電力を制御するが、これに限定されるものではない。具体的には、携帯端末１０ａ〜携帯端末１０ｎは、電波到達エリアａ〜電波到達エリアｎのサイズが一定に保たれる近距離無線通信方式に対応する端末であってもよい。なお、近距離無線通信方式としては、例えば、ＲＦＩＤ（Ｒａｄｉｏ  Ｆｒｅｑｕｅｎｃｙ  Ｉｄｅｎｔｉｆｉｃａｔｉｏｎ）、非接触ＩＣカード及びＮＦＣ（Ｎｅａｒ  Ｆｉｅｌｄ  Ｃｏｍｍｕｎｉｃａｔｉｏｎ）を用いた通信方式が挙げられる。
【図面の簡単な説明】
【０２２４】
【図１】本発明の第１実施形態に係る無線通信システムを示す全体図である。
【図２】本発明の第１実施形態に係る携帯端末１０の構成を示すブロック図である。
【図３】本発明の第１実施形態に係る順序テーブルの一例を示す図である。
【図４】本発明の第１実施形態に係る携帯端末１０の動作を示すシーケンス図である。
【図５】本発明の第１実施形態に係る鍵共有開始処理を示すシーケンス図である。
【図６】本発明の第１実施形態に係る鍵生成処理を示すシーケンス図である。
【図７】本発明の第１実施形態に係る鍵生成処理終了判定処理（マスター）を示すフロー図である。
【図８】本発明の第１実施形態に係る鍵生成処理終了判定処理（スレーブ）を示すフロー図である。
【図９】本発明の第１実施形態に係る鍵配信処理を示すシーケンス図である。
【図１０】本発明の第１実施形態に係る鍵受信判定処理を示すフロー図である。
【図１１】本発明の第１実施形態に係る鍵配信終了判定処理を示すフロー図である。
【図１２】本発明の第１実施形態に係る鍵共有確認処理を示すシーケンス図である。
【図１３】本発明の第１実施形態に係る鍵共有終了判定処理を示すフロー図である。
【図１４】本発明の第２実施形態に係る鍵生成処理を示すシーケンス図である。
【図１５】本発明の第２実施形態に係る鍵配信処理を示すシーケンス図である。
【図１６】本発明の第２実施形態に係る鍵共有確認処理を示すシーケンス図である。
【符号の説明】
【０２２５】
１０・・・携帯端末、１１・・・無線通信部、１２・・・電力制御部、１３・・・グループ化部、１４・・・乱数発生部、１５・・・順序テーブル記憶部、１６・・・鍵情報記憶部、１７・・・音楽情報記憶部、１８・・・音楽情報再生部、１９・・・制御部、２１・・・無線通信部、２２・・・電力制御部、２３・・・乱数発生部、２４・・・順序テーブル記憶部、２５・・・鍵情報記憶部、２６・・・音楽情報再生部、２７・・・制御部
【図１】
2007096946.tif 000003
【図２】
2007096946.tif 000004
【図３】
2007096946.tif 000005
【図４】
2007096946.tif 000006
【図５】
2007096946.tif 000007
【図６】
2007096946.tif 000008
【図７】
2007096946.tif 000009
【図８】
2007096946.tif 000010
【図９】
2007096946.tif 000011
【図１０】
2007096946.tif 000012
【図１１】
2007096946.tif 000013
【図１２】
2007096946.tif 000014
【図１３】
2007096946.tif 000015
【図１４】
2007096946.tif 000016
【図１５】
2007096946.tif 000017
【図１６】
2007096946.tif 000018